(57)【要約】【課題】面材を保持する枠状体を構成する枠状部材の中空部に浸入した水を外部に良好に排出すること。【解決手段】四周に上框２１、下框２２、縦框２３，２４が配設されて矩形状開口を有する框体と、矩形状開口を閉塞するよう框に保持される面材２５とを備えた第１障子２０であって、面材２５の下方側に位置する第１下框２２の室外側見付面に形成された框開口２９の開口縁部に前壁部４１が接するよう第１下框２２に取り付けられ、かつ前壁部４１に導入口４１ａと排水口４１ｂとが形成された水抜部材４０を備え、水抜部材４０は、前壁部４１の室内側において上方が第１下框２２の中空部２８に連通するよう下方、後方及び両側方が壁部４２等に取り囲まれることで形成され、かつ導入口４１ａを臨む空気導入域４６を有している。【選択図】図５
2015227548.tif 000002
【特許請求の範囲】
【請求項１】
四周に枠状部材が配設されて矩形状開口を有する枠状体と、
前記矩形状開口を閉塞するよう前記枠状体に保持される面材と
を備えた建具であって、
前記面材の下方側に位置する枠状部材の室外側見付面に形成された見付開口の開口縁部に前壁部が接するよう該枠状部材に取り付けられ、かつ前記前壁部に空気を導入するための導入口と水を排出ための排水口とが互いに離隔して上下となるように形成された水抜部材を備え、
前記水抜部材は、前記前壁部の室内側において上方が前記枠状部材の中空部に連通するよう下方、後方及び両側方が壁部に取り囲まれることで形成され、かつ前記導入口を臨む空気導入域を有することを特徴とする建具。
【請求項２】
前記水抜部材は、
前記前壁部における前記導入口と前記排水口との間の個所より室内側に向けて延在する底壁部と、
前記底壁部の延在端部より上方に向けて延在する後壁部と、
前記前壁部、前記底壁部及び前記後壁部に接合されてこれらとともに前記空気導入域を形成する一対の側壁部と
を備えたことを特徴とする請求項１に記載の建具。
【請求項３】
前記水抜部材は、前記後壁部の上端部分及び前記側壁部の上端部分が前記導入口よりも上方に位置していることを特徴とする請求項２に記載の建具。
【発明の詳細な説明】
【技術分野】
【０００１】
本発明は、建具に関し、より詳細には、四周に枠状部材が配設されて矩形状開口を有する枠状体と、矩形状開口を閉塞するよう枠状体に保持される面材とを備えた建具に関するものである。
【背景技術】
【０００２】
従来、例えばいわゆる「嵌め殺し窓」と称されるものや「片引き窓」と称されるもののように、四周に枠状部材が配設された枠状体と、この枠状体により形成される矩形状開口を閉塞するよう該枠状体に保持される面材とを備えた建具においては、枠状部材の中空部に外圧等により雨水等の水が浸入してしまうことがあった。このように枠状部材の中空部に浸入した水は、該中空部の圧力が外部よりも低い場合、外部に良好に排出されることなく貯留してしまい、この結果、該中空部に貯留する水量が過大なものとなると室内側に漏水等してしまう虞れがあった。
【０００３】
一方、開口枠に貯留した水を外部に排出する水抜装置が特許文献１に提案されている。この水抜装置は、水を導入するための入水口と、この入水口から離隔した個所に水を吐出するための吐水口と、入水口よりも上方域に空気を通過させるための吐気口とが設けられた装置本体を備えて構成されている。そして、水抜装置は、入水口から導入した水を吐水口から吐出することで開口枠に貯留した水を外部に排出するようにし、吐水口より風雨の吹き込みがある場合には吹き込んだ空気を吐気口より排出するようにしている。
【先行技術文献】
【特許文献】
【０００４】
【特許文献１】実開昭５４−００５３３４号公報
【発明の概要】
【発明が解決しようとする課題】
【０００５】
ところが、上記水抜装置は、開口枠に貯留した水を外部に排出するためのものであり、より詳細には、上記建具を開閉移動可能に支持する開口枠の特に下枠に貯留した水を外部に排出するためのものである。そのため、かかる水抜装置を上記建具の枠状部材の中空部に浸入した水の排出のために適用しようとしても、該中空部の圧力が外部よりも低い場合には、圧力差により中空部に貯留する水を外部に排出することができないという問題があった。
【０００６】
本発明は、上記実情に鑑みて、面材を保持する枠状体を構成する枠状部材の中空部に浸入した水を外部に良好に排出することができる建具を提供することを目的とする。
【課題を解決するための手段】
【０００７】
上記目的を達成するために、本発明に係る建具は、四周に枠状部材が配設されて矩形状開口を有する枠状体と、前記矩形状開口を閉塞するよう前記枠状体に保持される面材とを備えた建具であって、前記面材の下方側に位置する枠状部材の室外側見付面に形成された見付開口の開口縁部に前壁部が接するよう該枠状部材に取り付けられ、かつ前記前壁部に空気を導入するための導入口と水を排出ための排水口とが互いに離隔して上下となるように形成された水抜部材を備え、前記水抜部材は、前記前壁部の室内側において上方が前記枠状部材の中空部に連通するよう下方、後方及び両側方が壁部に取り囲まれることで形成され、かつ前記導入口を臨む空気導入域を有することを特徴とする。
【０００８】
この発明によれば、前壁部に空気を導入するための導入口と水を排出ための排水口とが互いに離隔して上下となるように形成された水抜部材が、面材の下方側に位置する枠状部材の室外側見付面に形成された見付開口に対して該見付開口の開口縁部に上記前壁部が接するよう該枠状部材に取り付けられており、しかも前壁部の室内側において上方が枠状部材の中空部に連通するよう下方、後方及び両側方が壁部に取り囲まれることで形成された空気導入域を有しているので、枠状部材の中空部は、導入口及び排水口を通じて外部に連通することとなり、該中空部を外部と略等しい圧力の等圧空間にすることができる。これにより、枠状部材の中空部に何等かの要因により雨水等が浸入した場合でも、排水口を通じて浸入した水を外部に排出することができる。しかも空気導入域は、上方のみが開放されているので、枠状部材に浸入して貯留した水により排水口が一時的に閉塞されても該水が空気導入域に浸入するまでは、該導入口を通じて枠状部材の中空部を上記等圧空間に保持することができ、貯留した水を排水口より外部に確実に排出することができる。
【０００９】
また本発明は、上記建具において、前記水抜部材は、前記前壁部における前記導入口と前記排水口との間の個所より室内側に向けて延在する底壁部と、前記底壁部の延在端部より上方に向けて延在する後壁部と、前記前壁部、前記底壁部及び前記後壁部に接合されてこれらとともに前記空気導入域を形成する一対の側壁部とを備えたことを特徴とする。
【００１０】
この発明によれば、導入口を臨むは、前壁部、底壁部、後壁部及び一対の側壁部により上方のみが開放されているので、枠状部材に浸入して貯留した水により排水口が一時的に閉塞されても該水が後壁部の上端部分及び側壁部の上端部分を乗り越えて空気導入域に浸入するまでは、該導入口を通じて枠状部材の中空部を等圧空間に保持することができ、貯留した水を排水口より外部に確実に排出することができる。
【００１１】
また本発明は、上記建具において、前記水抜部材は、前記後壁部の上端部分及び前記側壁部の上端部分が前記導入口よりも上方に位置していることを特徴とする。
【００１２】
この発明によれば、水抜部材の後壁部の上端部分及び側壁部の上端部分が導入口よりも上方に位置しているので、枠状部材に浸入して一時的に貯留した水が過大なものとなっても、導入口を通じて枠状部材の中空部を等圧空間に保持することができる。
【発明の効果】
【００１３】
本発明によれば、面材を保持する枠状体を構成する枠状部材の中空部に浸入した水を外部に良好に排出することができるという効果を奏する。
【図面の簡単な説明】
【００１４】
【図１】図１は、本発明の実施の形態１である建具を室内から見た場合を示す外観図である。
【図２】図２は、本発明の実施の形態１である建具を示す横断面図である。
【図３】図３は、本発明の実施の形態１である建具を示す縦断面図である。
【図４】図４は、図１〜図３に示した第１障子における第１下框の要部を拡大して示す斜視図である。
【図５】図５は、図４に示した第１下框の要部の分解斜視図である。
【図６】図６は、図４及び図５に示した水抜部材の斜視図である。
【図７】図７は、図４及び図５に示した水抜部材の平面図である。
【図８】図８は、図４及び図５に示した水抜部材の左側面図である。
【図９】図９は、図４及び図５に示した水抜部材の正面図である。
【図１０】図１０は、図９におけるＡ−Ａ線断面図である。
【図１１】図１１は、図１〜図３に示した第１障子の第１下框の要部を拡大して示す縦断面図である。
【図１２】図１２は、本発明の実施の形態２である建具の要部を拡大して示す斜視図である。
【図１３】図１３は、図１２に示した要部を拡大して示す縦断面図である。
【図１４】図１４は、図１２及び図１３に示した水抜部材の斜視図である。
【図１５】図１５は、図１２及び図１３に示した水抜部材の左側面図である。
【図１６】図１６は、水抜部材の変形例を示す斜視図である。
【図１７】図１７は、図１６に示した水抜部材の左側面図である。
【発明を実施するための形態】
【００１５】
以下に添付図面を参照して、本発明に係る建具の好適な実施の形態について詳細に説明する。
【００１６】
＜実施の形態１＞
図１〜図３は、それぞれ本発明の実施の形態１である建具を示すものであり、図１は室内から見た外観図であり、図２は横断面図、図３は縦断面図である。ここで例示する建具は、いわゆる「片引き窓」と称されるもので、開口枠１０と障子とを備えて構成されている。
【００１７】
開口枠１０は、建物躯体１の開口部２に設置されるもので、上枠１１、下枠１２及び左右一対の縦枠１３，１４を四周枠組みすることによって構成され、矩形状の開口１５を形成するものである。
【００１８】
障子は、複数（図示の例では２つ）設けられており、第１障子２０と第２障子３０とを有している。第１障子２０は、開口枠１０により形成される開口１５の右半分を閉塞するのに十分な大きさを有するものである。
【００１９】
この第１障子２０は、第１上框２１、第１下框２２及び左右一対の第１縦框２３，２４を四周框組みして矩形状開口を形成し、これらの框の間に該矩形状開口を閉塞するよう複層ガラス構造の面材２５をシール材２６及び押縁部材２７により支持させて構成されたものである。
【００２０】
このような第１障子２０は、図２及び図３に示すように、右側の第１縦框（以下、第１右縦框ともいう）２４が右縦枠１４に係止されるとともに、第１上框２１が上枠１１にビス等により固定され、更に第１下框２２が下枠１２にビス等により固定されており、上記開口１５の右半分を閉塞した状態で固定された固定障子である。
【００２１】
また第１障子２０を構成する各框２１等の内部には、シール材２６及び押縁部材２７により面材２５を支持することにより内部に中空部２８が形成されており、これら各框２１等の中空部２８は互いに連通して略密閉されている。
【００２２】
第２障子３０は、第１障子２０よりも室内側に位置しており、下枠１２に設けられたレール１２ａにより左右方向に沿って開閉移動可能に設けられている。この第２障子３０は、開口枠１０により形成される開口１５のうち第１障子２０により閉塞される部分を除く残りの開口部分を閉塞するのに十分な大きさを有している。
【００２３】
かかる第２障子３０は、第２上框３１、第２下框３２及び左右一対の第２縦框３３，３４を四周框組みして矩形状開口を形成し、これらの框の間に該矩形状開口を閉塞するよう複層ガラス構造の面材３５を支持させて構成されたものである。
【００２４】
このような第２障子３０は、左方に向けて閉移動して左側の第２縦框（以下、第２左縦框ともいう）３３が左縦枠１３に当接する場合に、第１障子２０とともに開口枠１０により形成される開口１５を閉塞しており、その際、右側の第２縦框（以下、第２右縦框ともいう）３４が第１障子２０の左側の第１縦框（以下、第１左縦框ともいう）２３の室内側に位置して該第１左縦框２３と召し合わされている。そして、第２障子３０は、左方に向けて開移動することで、開口枠１０により形成される開口１５の一部を開放することができる。
【００２５】
図４は、図１〜図３に示した第１障子２０における第１下框２２の要部を拡大して示す斜視図であり、図５は、図４に示した第１下框２２の要部の分解斜視図である。
【００２６】
これら図４及び図５に示すように、第１下框２２の室外側見付面には、矩形状の框開口（見付開口）２９が形成されており、かかる框開口２９に一部が進入した状態で水抜部材４０が取り付けられている。
【００２７】
図６〜図１０は、それぞれ図４及び図５に示した水抜部材４０を示すもので、図６は斜視図、図７は平面図、図８は左側面図、図９は正面図、図１０は図９におけるＡ−Ａ線断面図である。
【００２８】
ここで例示する水抜部材４０は、例えば樹脂材等により形成されたもので、前壁部４１、底壁部４２、後壁部４３及び左右一対の側壁部４４，４５が一体的に連結されて構成されている。
【００２９】
前壁部４１は、平板状の形態を成しており、上記框開口２９を覆うのに十分な大きさを有した部位である。この前壁部４１には、導入口４１ａ及び排水口４１ｂが形成されている。導入口４１ａは、前壁部４１の上方部分に形成された矩形状開口であり、詳細は後述するが、空気を導入するための開口である。排水口４１ｂは、導入口４１ａよりも下方側部分において該導入口４１ａから離隔して形成された矩形状開口である。この排水口４１ｂは、開口面積が導入口４１ａと略等しいもので、詳細は後述するが、水を排出するための開口である。つまり、前壁部４１には、導入口４１ａと排水口４１ｂとが互いに離隔して上下となるように形成されている。
【００３０】
底壁部４２は、前壁部４１の後面における導入口４１ａと排水口４１ｂとの間の個所から室内側に向けて延在する部位である。この底壁部４２は、左右方向の長さが前壁部４１の左右方向の長さよりも小さいが、導入口４１ａの左右幅の長さよりは大きいものである。
【００３１】
後壁部４３は、底壁部４２の延在端部、すなわち後端部から上方及び下方に向けて延在する部位である。つまり、後壁部４３は、前壁部４１に対して底壁部４２の延在長さの分だけ離隔して上下方向に沿って延在している。この後壁部４３の左右幅の大きさは底壁部４２の左右幅に等しく、かつ後壁部４３の上端部分は、前壁部４１の上端部分と同等の高さレベルに位置して導入口４１ａよりも上方に位置している。
【００３２】
左右一対の側壁部４４，４５のうち左側の側壁部（以下、左側壁部ともいう）４４は、底壁部４２の左端面と、後壁部４３のうち底壁部４２よりも上方側部分（以下、後壁上方部ともいう）４３ａの左端面とに接合し、かつ前端面が前壁部４１の後面に接合する板状部位である。この左側壁部４４の上端部分は、前壁部４１及び後壁部４３の上端部分と同等の高さレベルに位置して導入口４１ａよりも上方に位置している。
【００３３】
また、この左側壁部４４の外面となる左側面には、左側係止切欠４４ａ及び左側係止突起４４ｂが形成されている。
【００３４】
左側係止切欠４４ａは、左側壁部４４の上端部の前端部分に形成されている。この左側係止切欠４４ａは、詳細は後述するが、前壁部４１との間で第１下框２２における框開口２９の上縁部分の進入を許容する大きさを有しており、より詳細には、第１下框２２を構成する型材の厚みよりも僅かに大きいものである。
【００３５】
左側係止突起４４ｂは、左側壁部４４の左側面において左側係止切欠４４ａよりも室内側であって、かつ下方の個所に、左方に向けて突出する形態で形成されている。この左側係止突起４４ｂは、室外側に向かうに連れて漸次左方に傾斜する第１左側傾斜面４４ｂ１と、この第１左側傾斜面４４ｂ１の室外側端部より室外側に向かうに連れて漸次右方に傾斜する第２左側傾斜面４４ｂ２とが連続して形成されている。
【００３６】
また右側の側壁部（以下、右側壁部ともいう）４５は、底壁部４２の右端面と、後壁上方部４３ａの右端面とに接合し、かつ前端面が前壁部４１の後面に接合する板状部位である。この右側壁部４５の上端部分は、前壁部４１及び後壁部４３の上端部分と同等の高さレベルに位置して導入口４１ａよりも上方に位置している。また、この右側壁部４５の外面となる右側面には、右側係止切欠４５ａ及び右側係止突起４５ｂが形成されている。
【００３７】
右側係止切欠４５ａは、右側壁部４５の上端部の前端部分に形成されている。この右側係止切欠４５ａは、詳細は後述するが、前壁部４１との間で上記上縁部分の進入を許容する大きさを有しており、より詳細には、第１下框２２を構成する型材の厚みよりも僅かに大きいものである。
【００３８】
右側係止突起４５ｂは、右側壁部４５の右側面において右側係止切欠４５ａよりも室内側であって、かつ下方の個所に、右方に向けて突出する形態で形成されている。この右側係止突起４５ｂは、室外側に向かうに連れて漸次右方に傾斜する第１右側傾斜面４５ｂ１と、この第１右側傾斜面４５ｂ１の室外側端部より室外側に向かうに連れて漸次左方に傾斜する第２右側傾斜面４５ｂ２とが連続して形成されている。
【００３９】
これら左側壁部４４及び右側壁部４５は、それぞれ底壁部４２及び後壁上方部４３ａに接合する面が互いに対向して配設されており、前壁部４１、底壁部４２及び後壁上方部４３ａとともに、導入口４１ａを臨み、かつ上方のみが開放された空気導入域４６を形成している。つまり、本実施の形態１においては、底壁部４２、後壁部４３及び側壁部４４，４５が前壁部４１とともに空気導入域４６を形成する「壁部」を構成している。
【００４０】
尚、後壁部４３の室外側面の上端部には、複数（図示の例では３つ）の支持片４７が配設されている。これら支持片４７は、室外側面の上端部において左右方向に所定の間隔毎に室外側に向けて突出するよう配設されており、前壁部４１との間で、上記上縁部分の進入を許容する大きさを有している。
【００４１】
このような構成を有する水抜部材４０は、次のようにして第１下框２２に取り付けられている。すなわち、第１下框２２の框開口２９に対して室外側より底壁部４２、後壁部４３及び側壁部４４，４５を進入させた後に、左側係止切欠４４ａ及び右側係止切欠４５ａ、並びに前壁部４１と支持片４７との間に框開口２９の上縁部分を相対的に進入させ、かつ左側係止突起４４ｂを框開口２９の左側縁部分に係止させ、右側係止突起４５ｂを框開口２９の右側縁部分に係止させることで、図１１に示すように、水抜部材４０は前壁部４１が框開口２９の開口縁部に接するようにして第１下框２２に取り付けられている。この場合において、前壁部４１に形成された導入口４１ａは、上記空気導入域４６を介して第１下框２２の中空部２８に連通し、該前壁部４１に形成された排水口４１ｂは、上記空気導入域４６を介さずに第１下框２２の中空部２８に連通する。また、水抜部材４０の後壁部４３の下端部分は、第１下框２２の下端部の上面に載置されている。
【００４２】
このようにして第１下框２２に水抜部材４０が取り付けられると、框開口２９の開口縁部に接する前壁部４１には導入口４１ａ及び排水口４１ｂが形成されていることから、第１障子２０を構成する各框２１等の中空部２８は、導入口４１ａ及び排水口４１ｂを通じて外部に連通することとなり、該中空部２８を外部と略等しい圧力の等圧空間にすることができる。
【００４３】
これにより、上記第１障子２０を備える建具においては、各框２１等の内部に何等かの要因により雨水等が浸入した場合でも、排水口４１ｂを通じて浸入した水を外部に排出することができる。しかも、導入口４１ａを臨む空気導入域４６は、前壁部４１、底壁部４２、後壁上方部４３ａ及び左右一対の側壁部４４，４５により取り囲まれて上方のみが開放されているので、第１下框２２に浸入して貯留した水により排水口４１ｂが一時的に閉塞されても該水が後壁上方部４３ａの上端部分及び側壁部４４，４５の上端部分を乗り越えて空気導入域４６に浸入するまでは、該導入口４１ａを通じて第１障子２０の各框２１等の中空部２８を上記等圧空間に保持することができ、貯留した水を排水口４１ｂより外部に確実に排出することができる。
【００４４】
よって、本実施の形態１である建具によれば、各框２１等の中空部２８に浸入した水を外部に良好に排出することができる。
【００４５】
＜実施の形態２＞
図１２は、本発明の実施の形態２である建具の要部を拡大して示す斜視図であり、図１３は、図１２に示した要部を拡大して示す縦断面図である。尚、以下においては、上述した実施の形態１と同様の構成を有するものには同一の符号を付してその説明を適宜省略する。
【００４６】
これら図１２及び図１３に示すように、第１下框２２の室外側見付面には、矩形状の框開口２９が形成されており、かかる框開口２９に一部が進入した状態で水抜部材５０が取り付けられている。
【００４７】
図１４及び図１５は、それぞれ図１２及び図１３に示した水抜部材５０を示すもので、図１４は斜視図、図１５は左側面図である。
【００４８】
この例示する水抜部材５０は、例えば樹脂材等により形成されたもので、前壁部５１、底壁部５２、後壁部５３及び左右一対の側壁部５４，５５が一体的に連結されて構成されている。
【００４９】
前壁部５１は、平板状の形態を成しており、上記框開口２９を覆うのに十分な大きさを有した部位である。この前壁部５１には、導入口５１ａ及び排水口５１ｂが形成されている。導入口５１ａは、前壁部５１の上方部分に形成された矩形状開口であり、詳細は後述するが、空気を導入するための開口である。排水口５１ｂは、導入口５１ａよりも下方側部分において該導入口５１ａから離隔して形成された矩形状開口である。この排水口５１ｂは、開口面積が導入口５１ａと略等しいもので、詳細は後述するが、水を排出するための開口である。つまり、前壁部５１には、導入口５１ａと排水口５１ｂとが互いに離隔して上下となるように形成されている。
【００５０】
また、前壁部５１には、複数（図示の例では２つ）の係止片５８が形成されている。これら係止片５８は、左右方向に沿って互いに離隔して形成されており、それぞれ排水口５１ｂの下縁部分より室内側に向けて突出するよう延在しており、その延在端部には下方に突出するフック部５８ａが形成されている。
【００５１】
底壁部５２は、前壁部５１の後面における導入口５１ａと排水口５１ｂとの間の個所から室内側に向けて延在する部位である。この底壁部５２は、左右方向の長さが前壁部５１の左右方向の長さよりも小さいが、導入口５１ａの左右幅の長さよりは大きいものである。
【００５２】
後壁部５３は、底壁部５２の延在端部、すなわち後端部から上方に向けて延在する部位である。つまり、後壁部５３は、前壁部５１に対して底壁部５２の延在長さの分だけ離隔して上下方向に沿って延在している。この後壁部５３の左右幅の大きさは底壁部５２の左右幅に等しく、かつ後壁部５３の上端部分は、前壁部５１の上端部分と同等の高さレベルに位置して導入口５１ａよりも上方に位置している。
【００５３】
左右一対の側壁部５４，５５のうち左側の側壁部（以下、左側壁部ともいう）５４は、底壁部５２の左端面と、後壁部５３の左端面とに接合し、かつ前端面が前壁部５１の後面に接合する板状部位である。この左側壁部５４の上端部分は、前壁部５１及び後壁部５３の上端部分と同等の高さレベルに位置して導入口５１ａよりも上方に位置している。また、この左側壁部５４の外面となる左側面には、左側係止切欠５４ａ及び左側係止突起５４ｂが形成されている。
【００５４】
左側係止切欠５４ａは、左側壁部５４の上端部の前端部分に形成されている。この左側係止切欠５４ａは、詳細は後述するが、前壁部５１との間で第１下框２２における框開口２９の上縁部分の進入を許容する大きさを有しており、より詳細には、第１下框２２を構成する型材の厚みよりも僅かに大きいものである。
【００５５】
左側係止突起５４ｂは、左側壁部５４の左側面において左側係止切欠５４ａよりも室内側であって、かつ下方の個所に、左方に向けて突出する形態で形成されている。この左側係止突起５４ｂは、室外側に向かうに連れて漸次左方に傾斜する第１左側傾斜面５４ｂ１と、この第１左側傾斜面５４ｂ１の室外側端部より室外側に向かうに連れて漸次右方に傾斜する第２左側傾斜面５４ｂ２とが連続して形成されている。
【００５６】
また右側の側壁部（以下、右側壁部ともいう）５５は、底壁部５２の右端面と、後壁部５３の右端面とに接合し、かつ前端面が前壁部５１の後面に接合する板状部位である。この右側壁部５５の上端部分は、前壁部５１及び後壁部５３の上端部分と同等の高さレベルに位置して導入口５１ａよりも上方に位置している。また、この右側壁部５５の外面となる右側面には、右側係止切欠５５ａ及び右側係止突起（図示せず）が形成されている。
【００５７】
右側係止切欠５５ａは、右側壁部５５の上端部の前端部分に形成されている。この右側係止切欠５５ａは、詳細は後述するが、前壁部５１との間で上記上縁部分の進入を許容する大きさを有しており、より詳細には、第１下框２２を構成する型材の厚みよりも僅かに大きいものである。
【００５８】
右側係止突起は、右側壁部５５の右側面において右側係止切欠５５ａよりも室内側であって、かつ下方の個所に、右方に向けて突出する形態で形成されている。この右側係止突起は、室外側に向かうに連れて漸次右方に傾斜する第１右側傾斜面と、この第１右側傾斜面の室外側端部より室外側に向かうに連れて漸次左方に傾斜する第２右側傾斜面とが連続して形成されている。
【００５９】
これら左側壁部５４及び右側壁部５５は、それぞれ底壁部５２及び後壁部５３に接合する面が互いに対向して配設されており、前壁部５１、底壁部５２及び後壁部５３とともに、導入口５１ａを臨み、かつ上方のみが開放された空気導入域５６を形成している。
【００６０】
尚、後壁部５３の室外側面の上端部には、複数（図示の例では３つ）の支持片５７が配設されている。これら支持片５７は、室外側面の上端部において左右方向に所定の間隔毎に室外側に向けて突出するよう配設されており、前壁部５１との間で、上記上縁部分の進入を許容する大きさを有している。
【００６１】
このような構成を有する水抜部材５０は、次のようにして第１下框２２に取り付けられている。すなわち、第１下框２２の框開口２９に対して室外側より底壁部５２、後壁部５３及び側壁部５４，５５を進入させた後に、左側係止切欠５４ａ及び右側係止切欠５５ａ、並びに前壁部５１と支持片５７との間に框開口２９の上縁部分を相対的に進入させ、かつ左側係止突起５４ｂを框開口２９の左側縁部分に係止させるとともに、右側係止突起を框開口２９の右側縁部分に係止させる。更に、前壁部５１の係止片５８を框開口２９の下縁部分に係止させる。これにより、図１２及び図１３に示すように、水抜部材５０は前壁部５１が框開口２９の開口縁部に接するようにして第１下框２２に取り付けられている。この場合において、前壁部５１に形成された導入口５１ａは、上記空気導入域５６を介して第１下框２２の中空部２８に連通し、該前壁部５１に形成された排水口５１ｂは、上記空気導入域５６を介さずに第１下框２２の中空部２８に連通する。
【００６２】
このようにして第１下框２２に水抜部材５０が取り付けられると、框開口２９の開口縁部に接する前壁部５１には導入口５１ａ及び排水口５１ｂが形成されていることから、第１障子２０を構成する各框２１等の中空部２８は、導入口５１ａ及び排水口５１ｂを通じて外部に連通することとなり、該中空部２８を外部と略等しい圧力の等圧空間にすることができる。
【００６３】
これにより、上記第１障子２０を備える建具においては、各框２１等の内部に何等かの要因により雨水等が浸入した場合でも、排水口５１ｂを通じて浸入した水を外部に排出することができる。しかも、導入口５１ａを臨む空気導入域５６は、前壁部５１、底壁部５２、後壁部５３及び左右一対の側壁部５４，５５により取り囲まれて上方のみが開放されているので、第１下框２２に浸入して貯留した水により排水口５１ｂが一時的に閉塞されても該水が後壁部５３の上端部分及び側壁部５４，５５の上端部分を乗り越えて空気導入域５６に浸入するまでは、該導入口５１ａを通じて第１障子２０の各框２１等の中空部２８を外部と同等の圧力に保持することができ、貯留した水を排水口５１ｂより外部に確実に排出することができる。
【００６４】
よって、本発明の実施の形態２である建具によれば、各框２１等の中空部２８に浸入した水を外部に良好に排出することができる。
【００６５】
以上、本発明の好適な実施の形態１及び２について説明したが、本発明はこれらに限定されるものではなく種々の変更行うことができる。
【００６６】
上述した実施の形態１及び２では、水抜部材４０，５０の後壁部４３，５３及び側壁部４４，４５，５４，５５の上端部分は前壁部４１，５１の上端部分と同等の高さレベルに位置していたが、本発明においては、図１６及び図１７に示すように、後壁部５３′及び側壁部５４′，５５′の上端部分は、前壁部５１の上端部分よりも上方側に位置した水抜部材５０′を用いてもよい。これによれば、第１下框２２（枠状部材）に貯留する水が過大なものとなっても該水がこれら上端部分を乗り越えて空気導入域５６′に浸入するまでは、該導入口５１ａを通じて第１障子２０の各框２１等の中空部２８を外部と同等の圧力に保持することができる。また、本発明においては、図１６及び図１７に示すように、後壁部５３′及び側壁部５４′，５５′における前壁部５１の上端部分よりも上方側となる部位には、複数の溝部５９を形成し、かかる溝部５９に沿って折ることで、該溝部５９よりも上方側部分を離脱させて後壁部５３′及び側壁部５４′，５５′の上端部分の高さレベルを変更できるようにしてもよい。
【００６７】
上述した実施の形態１及び２では、片引き窓を建具として説明したが、本発明においては、いわゆる「嵌め殺し窓」と称されるような四周に枠状部材が配設されて矩形状開口を有する枠状体と、矩形状開口を閉塞するよう枠状体に保持される面材とを備える建具であってもよいし、その他の形態の窓であってもよい。ここで、本発明の建具がいわゆる「嵌め殺し窓」の場合、見付開口は実施の形態１及び２のように下框ではなく、面材を保持する枠状部材に設けられることになる。
【００６８】
上述した実施の形態１及び２では、水抜部材４０，５０の導入口４１ａ，５１ａと、排水口４１ｂ，５１ｂは何ら閉塞されていないが、本発明においては、水抜部材が防虫網部材と弁とを備えていてもよい。防虫網部材は、導入口を閉塞するよう配設されるものである。弁は、排水口を開閉するよう回動自在に設けられており、常態においては排水口を閉塞する一方、内部より水が排出される場合には室外側に回動して排水口を開放させるものである。このような防虫網部材及び弁を備えた構成によれば、虫等が導入口等を通じて障子の内部に進入することを抑制できるとともに、排水口を通じて排出された水等が排水口から障子の内部に進入することを防止することができる。
【符号の説明】
【００６９】
２０  第１障子、２１  第１上框、２２  第１下框（枠状部材）２３，２４  第１縦框、２５  面材、２６  シール材、２７  押縁部材、２８  中空部、２９  框開口（見付開口）、４０  水抜部材、４１  前壁部、４１ａ  導入口、４１ｂ  排水口、４２  底壁部、４３  後壁部、４４，４５  側壁部、４４ａ  左側係止切欠、４４ｂ  左側係止突起、４５ａ  右側係止切欠、４５ｂ  右側係止突起
【図１】
2015227548.tif 000003
【図２】
2015227548.tif 000004
【図３】
2015227548.tif 000005
【図４】
2015227548.tif 000006
【図５】
2015227548.tif 000007
【図６】
2015227548.tif 000008
【図７】
2015227548.tif 000009
【図８】
2015227548.tif 000010
【図９】
2015227548.tif 000011
【図１０】
2015227548.tif 000012
【図１１】
2015227548.tif 000013
【図１２】
2015227548.tif 000014
【図１３】
2015227548.tif 000015
【図１４】
2015227548.tif 000016
【図１５】
2015227548.tif 000017
【図１６】
2015227548.tif 000018
【図１７】
2015227548.tif 000019